(57)【要約】【課題】既設の錠になんら加工を施すことなく錠操作制御装置を単に組合わせるだけで、不適正な施錠操作を規制する機能を有するロッカー用錠装置を得る。【解決手段】ロッカー用錠装置は第１の筐体２０と、第１の筐体２０に隣接させる第２の筐体３０とを備える。第１の筐体２０は施錠機構を内蔵し、前面側に操作機構４、後部側にロックプレート２１が設けられる。第２の筐体３０は、カード挿入口３１と、ロックプレート２１の回動に伴ってロックプレート２１の先端部が出入りするスリット３５とが開口し、内部には、カード挿入口３１より挿入されたカードを保持しカードの表面が視認可能なカード表示窓を有するカード保持部３３と、施錠操作を規制する規制機構５とが設けられる。規制機構５は、スリット３５の位置に配備される開閉可能なシャッター５０と、カードの挿脱に応動してシャッター５０を開閉動作させる駆動機構５８とを含む。【選択図】図８
2019073939.tif 000002
【特許請求の範囲】
【請求項１】
ロッカーの扉上に取り付けられる第１の筐体と、第１の筐体に隣接させて前記扉上に取り付けられる第２の筐体とを備え、
前記第１の筐体は、扉を施錠する施錠機構を内蔵し、前面側に前記施錠機構を施錠、解錠動作させるための操作機構、後部側に前記操作機構による施錠、解錠の各操作に対応して回動するロックプレートが設けられており、
前記第２の筐体は、カード挿入口と、前記ロックプレートの回動に伴ってロックプレートの先端部が出入りするスリットとが開口し、内部には、前記カード挿入口より挿入されたカードを保持しカードの表面が視認可能なカード表示窓を有するカード保持部と、前記施錠機構の施錠操作を規制する規制機構とが設けられており、
前記規制機構は、前記スリットの位置に配備される開閉可能なシャッターと、カードの挿脱に応動して前記シャッターを開閉動作させる駆動機構とを含んでなるロッカー用錠装置。
【請求項２】
前記規制機構は、前記カード保持部に配置されるカード挿入検知部材を備え、前記駆動機構は、前記カード挿入検知部材による検知動作に応動して前記シャッターを開閉動作させる請求項１に記載のロッカー用錠装置。
【請求項３】
前記スリットは、前記第２の筐体の前記ロックプレートの先端部と対向する面に形成される第１のスリットと、前記第２の筐体の前記ロックプレートの回動方向と対向する面に形成される第２のスリットとを含み、第１、第２の各スリットは互いに連通している請求項１に記載のロッカー用錠装置。
【請求項４】
前記操作機構は、複数個の符号が表された複数個のダイヤルと、前記ロックプレートを回動させるための撮みとからなり、前記施錠機構は、各ダイヤルにより解錠符号列が揃えられたとき、前記撮みの回動を許容し、前記解錠符号列が揃えられていないとき、前記撮みの回動を規制する機構である請求項１に記載のロッカー用錠装置。
【発明の詳細な説明】
【技術分野】
【０００１】
この発明は、ロッカーの扉に組み付けられるロッカー用錠装置に関する。この発明は特に、不適正な施錠操作を規制する機能を有するロッカー用錠装置に関する。
【背景技術】
【０００２】
会員制のスポーツクラブなどの施設には、会員の使用に供せられる複数台のロッカーが設置されている。会員は、いずれのロッカーも無料で使用できる。各ロッカーには、シリンダ錠やダイヤル錠などの錠が組み付けられており、ロッカーの使用者は、自らが使用するロッカーを施錠することが可能である。会員一人に１台のロッカーが割り当てられるが、一人で複数台のロッカーが専有されると、ロッカーが不足し、施設側はロッカーを増設する必要がある。
【０００３】
ダイヤル錠として、解錠符号列を使用者自らが設定できるタイプのダイヤル錠があり、この種のダイヤル錠が組み付けられたロッカーでは、使用しないにもかかわらず、解錠符号列が任意に設定されて施錠されるという悪質な悪戯も発生している。
【０００４】
上記の問題を解決するため、先般、各会員に１枚のカードを貸与し、そのカードがセットされた場合に限り、施錠操作が行えるようにしたロッカー用錠装置が提案された（例えば、特許文献１参照）。この種のカードの交付により会員一人に１台のロッカーが割り当てられることになり、ロッカー不足が解消され、また、悪戯の防止にも効果がある。
【０００５】
上記したロッカー用錠装置は、ダイヤル錠よりなる錠本体と、錠本体の施錠操作を規制するための施錠操作制御装置とからなる。施錠操作制御装置は、カードがセットされていない状態のとき、ダイヤル錠のロックプレートの回動を規制し、カードがセットされた状態のとき、前記ロックプレートの回動の規制を解除するものである。
【先行技術文献】
【特許文献】
【０００６】
【特許文献１】特開２００１−７３６０８号公報
【発明の概要】
【発明が解決しようとする課題】
【０００７】
特許文献１に記載の施錠操作制御装置では、ダイヤル錠のロックプレートにピンを立設するなどして突起を設ける必要があるため、既設のダイヤル錠に施錠操作制御装置を組合わせることが困難な場合があり、この場合はダイヤル錠の交換が必要となる。また、既設のダイヤル錠に施錠操作制御装置を組合わせることが可能な場合でも、ロックプレートを交換したりロックプレートに突起を設けるための加工を施したりする必要がある。  
【０００８】
この発明が目的とするところは、既設の錠になんら加工を施すことなく施錠操作制御装置を単に組合わせるだけで、不適正な施錠操作を規制する機能を有するロッカー用錠装置を得ることにある。
【課題を解決するための手段】
【０００９】
この発明によるロッカー用錠装置は、ロッカーの扉上に取り付けられる第１の筐体と、第１の筐体に隣接させて前記扉上に取り付けられる第２の筐体とを備えている。前記第１の筐体は、扉を施錠する施錠機構を内蔵し、前面側に前記施錠機構を施錠、解錠動作させるための操作機構、後部側に前記操作機構による施錠、解錠の各操作に対応して回動するロックプレートが設けられている。前記第２の筐体は、カード挿入口と、前記ロックプレートの回動に伴ってロックプレートの先端部が出入りするスリットとが開口し、内部には、前記カード挿入口より挿入されたカードを保持しカードの表面が視認可能なカード表示窓を有するカード保持部と、前記施錠機構の施錠操作を規制する規制機構とが設けられている。前記規制機構は、前記スリットの位置に配備される開閉可能なシャッターと、カードの挿脱に応動して前記シャッターを開閉動作させる駆動機構とを含んでいる。
【００１０】
上記したロッカー用錠装置において、カード保持部にカードが保持されていない状態では、スリットはシャッターにより閉じられており、ロックプレートはスリットから第２の筐体外へ脱出できない状態にある。この状態のとき、操作機構を施錠操作しようとしても、ロックプレートを回動させることができず、施錠操作が規制される。カード挿入口よりカード保持部へカードが挿入されると、カードの挿入に規制機構が応動してシャッターを開き、ロックプレートはスリットから第２の筐体外へ脱出できる状態になる。この状態のとき、操作機構を施錠操作すると、ロックプレートを回動させることができ、施錠操作が可能である。カード保持部にカードが保持されると、カード表示窓からカードの表面を視認することができるので、そのカードから適正な施錠操作がなされたかどうかを判別し得る。
【００１１】
好ましい実施態様においては、前記規制機構は、前記カード保持部に配置されるカード挿入検知部材を備えている。前記駆動機構は、前記カード挿入検知部材による検知動作に応動して前記シャッターを開閉動作させる。
【００１２】
この実施態様によると、カード保持部へカードが挿入されると、カード挿入検知部材がカードの挿入を検知し、駆動機構はその検知動作に応動してシャッターを開く。なお、カード挿入検知部材は、機械的な構成のものでもよく、光電センサのような電気的な構成のものでもよい。
【００１３】
好ましい実施形態においては、前記スリットは、前記第２の筐体の前記ロックプレートの先端部と対向する面に形成される第１のスリットと、前記第２の筐体の前記ロックプレートの回動方向と対向する面に形成される第２のスリットとを含み、第１、第２の各スリットは互いに連通している
【００１４】
この実施態様によると、扉上に第１の筐体に隣接して第２の筐体を取り付けるとき、ロックプレートの先端部が第１のスリットより第２の筐体内へ挿入された状態で第２の筐体を位置決め固定する。
【００１５】
好ましい実施形態においては、前記操作機構は、複数個の符号が表された複数個のダイヤルと、前記ロックプレートを回動させるための撮みとからなる。前記施錠機構は、各ダイヤルにより解錠符号列が揃えられたとき、前記撮みの回動を許容し、前記解錠符号列が揃えられていないとき、前記撮みの回動を規制する機構である。
【００１６】
この実施態様によると、ダイヤル操作により解錠符号列が揃うと、撮みを回して施錠することができるが、解錠符号列が揃っていなければ、撮みを回して施錠することができない。
【発明の効果】
【００１７】
この発明によると、既設の錠に施錠操作規制装置を組み合わせるだけで、不適正な施錠操作を規制する機能を備えたロッカー用錠装置を得ることができる。
【図面の簡単な説明】
【００１８】
【図１】ロッカー用錠装置が組み付けられたロッカーが複数台設置された状態を示す正面図である。
【図２】未使用状態のロッカー用錠装置の主要部を示す正面図である。
【図３】使用状態のロッカー用錠装置の主要部を示す正面図である。
【図４】未使用状態のロッカー用錠装置を示す背面図である。
【図５】使用状態のロッカー用錠装置を示す背面図である。
【図６】未使用状態のロッカー用錠装置を示す側面図である。
【図７】未使用状態のロッカー用錠装置の一部分を示す斜視図である。
【図８】使用状態のロッカー用錠装置を示す側面図である。
【図９】シャッターが閉じているときの規制機構の状態を示す斜視図である。
【図１０】シャッターが開いているときの規制機構の状態を示す斜視図である。
【発明を実施するための形態】
【００１９】
図１は、複数台のロッカー９が一列に設置された状態を示している。各ロッカー９には一実施形態のロッカー用錠装置１が組み付けられている。図示例のロッカー９はスチール製であるが、木製のロッカーにもロッカー用錠装置１を組み付けることができる。このロッカー９は、会員制のスポーツクラブなどの施設に設置されるが、これに限られるものではない。ロッカー９は施設の利用者に無料で貸与される。
【００２０】
ロッカー用錠装置１は、扉を施錠するための施錠機構を有する錠本体２と、錠本体２の施錠操作を規制するための規制機構５（図９，１０に示す）を有する施錠操作規制装置３とで構成される。各ロッカー９には、扉９１の把手９２の上方位置に、矩形状をなす取付用の開口９３，９４がそれぞれ形成される。下側の開口９３には錠本体２の筐体（以下「第１の筐体」という。）２０が、上側の開口９４には施錠操作規制装置３の筐体（以下「第２の筐体」という。）３０が、それぞれ嵌め込まれて固定される。
【００２１】
この実施形態では、錠本体２としてダイヤル錠を用いているが、これに限らず、シリンダ錠を用いることもできる。第１の筐体２０の前面側には前面プレートが装着され、前面プレート上に施錠機構を施錠、解錠動作させるための操作機構４が設けられている。錠本体２は、操作機構４を扉９１の前面に臨ませるようにして扉９１に取り付けられる。操作機構４は、図２および図３に示すように、解錠符号列を揃えたり崩したりするのに操作される複数個（図示例では４個）のダイヤル４１と、後述するロックプレート２１を正逆各方向へ回動させるための撮み４２とを備えている。各ダイヤル４１は、複数個の符号（０〜９の数字）が一周配置された円筒部４１ａと、円筒部４１ａの一側に装着された円板状の操作部４１ｂとを備えている。操作部４１ｂの外周面は指が懸かり易くするために凹凸が設けられている。なお、図中、４３は円筒部４１ａの外周面の符号を表示させるダイヤル表示窓である。
【００２２】
図２は、ロッカー９が使用される前の未使用の状態を、図３は、ロッカー９が使用されているときの状態を、それぞれ示している。未使用の状態では、４個のダイヤル４１は「０」の符号がダイヤル表示窓４３に現れており、このとき、錠本体２は解錠状態にある。使用者は、複数台のロッカー９のうち、いずれかの未使用のロッカー９を選択して使用する。
【００２３】
施錠操作規制装置３は、第２の筐体３０の前面側に、図２および図３に示すように、後述するカード保持部３３に保持されたカード８の表面が視認可能な矩形状のカード表示窓３４を備えている。施錠操作規制装置３は、カード表示窓３４を扉９１の前面に臨ませるようにして扉９１に取り付けられる。
【００２４】
カード８は、施設の利用者に１枚ずつ交付されるもので、合成樹脂板により形成されている。ロッカー９を使用するに際し、扉９１を開けてカード８を施錠操作規制装置３のカード保持部３３（詳細は後述する）にセットする。これによりロッカー９の使用が可能となり、操作機構４の撮み４２を回して施錠することができる。
図２に示す未使用の状態では、カード８がセットされていないので、カード表示窓３４は未表示の状態である。図３に示す使用状態では、カード８がセットされているので、カード表示窓３４にカード８の表面が現れている。カード８の表面には各カードに固有のカード番号８１が印刷されているので、カード表示窓３４を通してカード番号８１を視認することができ、セットされているカード８が適正なカードかどうか、すなわち、適正にロッカー９が使用されているかどうかがわかる。
【００２５】
図２に示す未使用の状態のとき、図４に示すように、錠本体２が有するロックプレート２１は上方へ起立した状態にあり、ロッカー本体９０の側に取り付けられた受け金具９５に係合しておらず、扉９１を開閉することが可能である。
ロッカー９の使用者は、カード８をセットした後、各ダイヤル４１を操作して好みの解錠符号列（例えば、１２３４）を設定し、つぎに撮み４２を「開」の位置から「閉」の位置まで回す。このとき、設定された解錠符号列は記憶される。この撮み４２の回動操作によって、図５に示すように、ロックプレート２１が９０度回転して受け金具９５に係合するので、扉９１の開閉ができなくなる。図３は、撮み４２を回動操作した後の状態を示しており、各ダイヤル４１のダイヤル表示窓４３に、設定された解錠符号列（この場合、１２３４）を構成する符号が現れている。その後、ダイヤル操作して解錠符号列を崩すと、錠本体２は施錠状態となり、撮み４２を「閉」の位置から「開」の位置に戻すことができない。
【００２６】
錠本体２の第１の筐体２０は合成樹脂製であり、内部に、ダイヤル錠の施錠機構（図示せず）が組み込まれている。この施錠機構は、ロッカー９の使用者が設定した解錠符号列を記憶し、設定された解錠符号列が崩されたときに施錠状態を生成し、解錠符号列が揃えられたときに解錠状態を生成するものである。このような機能を有するダイヤル錠の施錠機構は公知であり、ここでは図示並びに詳細な説明を省略する。
【００２７】
ダイヤル錠の施錠機構は、撮み４２の正逆回動操作に伴って回動する金属製のロックプレート２１を備えている。ロックプレート２１は、第１の筐体２０の後部側に配設され、筐体２０の後面より突き出た駆動軸２２の先端に止着されている。施錠機構が解錠状態にあるときは、撮み４２を「開」から「閉」、または「閉」から「開」へ回動することが可能であり、ロックプレート２１は撮み４２の回動に伴って起伏動作する。施錠機構が施錠状態にあるときは、撮み４２を「閉」から「開」へ回動することができず、ロックプレート２１は、倒れた状態、すなわち受け金具９５に係合した状態が保持される。ロックプレート２１の先端部は鉤状になっており、受け金具９５は鉤状の先端部が引っ掛かる形態のものである。
【００２８】
施錠操作規制装置３の第２の筐体３０は合成樹脂製であり、図６〜図８に示されるように、不透明のベース部３０Ａと透明のカバー部３０Ｂとで構成されている。ベース部３０Ａは平面形状が矩形の台形状であり、カバー部３０Ｂは内側が中空の箱状体である。カバー部３０Ｂはベース部３０Ａ上に被せられ、複数箇所がネジ３６によりベース部３０Ａに止め固定されている。ベース部３０Ａ上のカバー部３０Ｂにより囲まれた空間には錠本体２の施錠操作を規制するための規制機構５が収容されている。
【００２９】
ベース部３０Ａの上面には、カード８の挿入を受け付けるカード挿入口３１が開口している。ベース部３０Ａの内部にはカード挿入口３１より挿入されたカード８を保持するカード保持部３３が設けられている。ベース部３０Ａ上には、カード８をカード挿入口３１へ導くためのカード挿入ガイド３２と、カード８の裏面側を支持するカード支持板３７とが一体に形成されている。カード支持板３７上の空間がカード保持部３３を構成する。カード支持板３７上のカード保持部３３はカード表示窓３４に面しており、カード８が保持された状態のときカード８の表面をカード表示窓３４より視認できる。カード８の後端部はカード挿入ガイド３２より斜め上方へ突き出ている。なお、カード表示窓３４の内側には透明の合成樹脂板（図示せず）が装着されている。
【００３０】
第２の筐体３０のカバー部３０Ｂの下部には、ロックプレート２１の回動に伴ってロックプレート２１の先端部が出入りするスリット３５が開口している。スリット３５は、起立したロックプレート２１の先端部と対向する下面ｘに形成された第１のスリット３５ｘと、ロックプレート２１の先端部が倒れる側面ｙに形成された第２のスリット３５ｙとを含んでいる。第２のスリット３５ｙは第１のスリット３５ｘとほぼ直角をなし、第１、第２の各スリット３５ｘ，３５ｙは互いに連通している。第１、第２の各スリット３５ｘ，３５ｙの溝幅は、ロックプレート２１の厚みよりわずかに大きな値に設定されている。
【００３１】
第１、第２の各筐体２０，３０は扉９１の裏面上に上下に並べて取り付けられる。第２の筐体３０は第１の筐体２０の真上位置であって第１の筐体２０に隣接する位置に位置決めされる。錠本体２のロックプレート２１は、撮み４２が「開」の位置にあるとき、上方へ起立した姿勢であり、ロックプレート２１の鉤状の先端部がスリット３５の第１のスリット３５ｘから第２の筐体３０の内部に入り込んでいる。
【００３２】
第２の筐体３０の内部には、カード８の挿脱に応動する規制機構５と、規制機構５の応動によってスリット３５を開閉するシャッター５０とが設けられている。シャッター５０は第２のスリット３５ｙの内側位置に傾動可能に支持されている。カード８が未挿入の図６の状態では、シャッター５０は第２のスリット３５ｙを内側より塞いでいる。これにより第２の筐体３０からのロックプレート２１の脱出が阻止されるので、撮み４２を回すことができない。カード８が挿入されている図７および図８の状態では、シャッター５０は第２のスリット３５ｙを開放している。これにより第２の筐体３０からのロックプレート２１の脱出が許容されるので、撮み４２を回すことが可能である。
【００３３】
図９および図１０は、施錠操作を規制するための規制機構５の一実施形態を示す。図９は施錠操作が規制された状態であり、図１０は規制が解錠された状態である。図示例の規制機構５は、カード挿入検知部材としての検知レバー５４と、検知レバー５４による検知動作に応動してシャッター５０を開閉動作させる駆動機構５８とを備えている。検知レバー５４は、カード支持板３７に開口した窓孔３８よりカード保持部３３に対して下端部が出没するもので、上端部に一体に設けられた枢軸５５の両端部が軸受５６により回動自由に支持されている。各軸受５６はカード支持板３７の裏面に取り付けられている。  
【００３４】
検知レバー５４の上端部には、検知レバー５４と直角をなす作動片５７が一体に形成されている。作動片５７は、シャッター５０の上端部に一体に設けられた突軸５１の下面と交差して当接している。シャッター５０の上端部には支え軸５２が一体に設けられており、支え軸５２の両端部を軸受５３，５３により支持することで、シャッター５０が傾動可能となっている。なお、軸受５３は第２の筐体３０のカバー部３０Ｂの裏面に取り付けられている。
【００３５】
シャッター５０には図示しないバネが装着されている。このバネによってシャッター５０は第２のスリット３５ｙを塞ぐ方向へ付勢される。図９に示すように、シャッター５０が垂直な姿勢のとき、突軸５１は検知レバー５４の作動片５７を押下し、検知レバー５４が傾動し、検知レバー５４の下端部は窓孔３８よりカード保持部３３へ突出する。
カード保持部３３にカード８が挿入されて検知レバー５４が押されると、図１０に示すように、作動片５７が突軸５１を押し上げるので、シャッター５０が支え軸５２を支点として傾動し、第２のスリット３５ｙを開放する。カード保持部３３よりカード８が抜かれると、バネ力によりシャッター５０および検知レバー５４は図９に示す状態に復帰動作する。
【００３６】
この実施形態では、作動片５７、突軸５１、およびバネにより駆動機構５８が構成されるが、駆動機構５８は、検知レバー５４による検知動作に応動してシャッター５０を開閉動作させることができるものであれば、図示例のものに限定されるものではない。また、カード挿入検知部材としての検知レバー５４も上記した形態に限定されない。
さらに、この実施形態は、カード保持部３３に対するカード８の挿脱を機械的に検知しているが、光電センサなどを用いて電気的に検知することも可能であり、この場合は、シャッター５０を電磁ソレノイドなどを用いて電気的に開閉動作させる。
【００３７】
上記したロッカー用錠装置１において、施錠操作規制装置３のカード保持部３３にカード８が保持されていない状態では、スリット３５の第２のスリット３５ｙはシャッター５０により閉じられており、ロックプレート２１は第２のスリット３５ｙから第２の筐体３０外へ脱出できない状態にある。この状態のとき、操作機構４の撮み４１を回して施錠しようとしても、ロックプレート２１を回動させることができず、撮み４１による施錠操作が規制される。
【００３８】
カード挿入口３１よりカード保持部３３へカード８が挿入されると、検知レバー５４がカード８により押され、規制機構５の駆動機構５８が検知レバー５４の検知動作に応動してシャッター５０を開き、ロックプレート２１はスリット３５から第２の筐体３０外へ脱出できる状態になる。この状態のとき、操作機構４の撮み４１を回すと、ロックプレート２１を回動させることができ、撮み４１による施錠操作が可能である。
カード保持部３３にカード８が保持されると、カード表示窓３４からカード８の表面を視認することができるので、そのカード８から適正な施錠操作がなされたかどうかを判別し得る。
【符号の説明】
【００３９】
１    ロッカー用錠装置
２    錠本体
３    施錠操作規制装置
４    操作機構
５    規制機構
８    カード
９    ロッカー
２０  第１の筐体
２１  ロックプレート
３０  第２の筐体
３１  カード挿入口
３３  カード保持部
３４  カード表示窓
３５  スリット
３５ｘ  第１のスリット
３５ｙ  第２のスリット
４１  ダイヤル
４２  撮み
５０  シャッター
９１  扉
【図１】
2019073939.tif 000003
【図２】
2019073939.tif 000004
【図３】
2019073939.tif 000005
【図４】
2019073939.tif 000006
【図５】
2019073939.tif 000007
【図６】
2019073939.tif 000008
【図７】
2019073939.tif 000009
【図８】
2019073939.tif 000010
【図９】
2019073939.tif 000011
【図１０】
2019073939.tif 000012